(57)【要約】      （修正有）【課題】構造が簡単で、安価、簡単にティーシャツに取付けることが可能で、且つ確実にティーシャツの洗濯後の乾燥時の衿の伸びを防止することのできるティーシャツ衿の伸び防止具、及びこれを取付けたティーシャツを提供する。【解決手段】ティーシャツ衿の伸び防止具１０は熱接着シート１２にＵ字状の紐１１の両端を固着することで形成される。ティーシャツ１００は、この衿伸び防止具の２個を上記衿伸び防止具を構成するＵ字状の紐の頭部が衿側に、Ｕ字状の紐の両端が肩先側にして対称に配置し、ティーシャツの裏側の肩先と衿１０１の中間の２ヶ所に熱圧着することにより作製され、このティーシャツを洗濯後、ハンガー５００に吊るし、２個の衿伸び防止具の備える紐の頭部を、フック６００を備える紐で連結して衿の形状を保持して乾燥する。【選択図】図７
2014005566.tif 000002
【特許請求の範囲】
【請求項１】
Ｕ字状の紐の両端を熱接着シートに固定したことを特徴とするティーシャツ衿の伸び防止具。
【請求項２】
請求項1に記載のティーシャツ衿の伸び防止具の２個を、ティーシャツの裏側の両肩先と衿の中間の２ヶ所に、上記ティーシャツ衿の伸び防止具を構成する上記Ｕ字状の紐の頭部が衿側に、上記Ｕ字状の紐の両端が肩先側にして対称に配置し、熱により固着したことを特徴とするティーシャツ。
【請求項３】
シートの片面に、面ファスナーを構成する雄側ファスナー面及び上記雌側ファスナー面を固定したことを特徴とするティーシャツ衿の伸び防止具。
【請求項４】
上記シートが接着層と非接着層からなる熱接着シートであり、上記非接着層に面ファスナーを構成する雄側ファスナー面及び雌側ファスナー面を固定した請求項３に記載のティーシャツ衿の伸び防止具。
【請求項５】
上記雄側ファスナー面及び上記雌側ファスナー面のいずれか一方の面又は両面に、
ゴム、樹脂及びエラストマーから選ばれるいずれか１種である十字形状の弾性体を備える請求項３又は請求項４に記載のティーシャツ衿の伸び防止具。
【請求項６】
請求項３乃至請求項５のいずれか１項に記載するティーシャツ衿の伸び防止具であって、上記雄側ファスナー面及び上記雌側ファスナー面を内側にして折り畳んだ２個を、ティーシャツの裏側の両肩先と衿の中間の２ヶ所に配置し、固着したことを特徴とするティーシャツ。
【請求項７】
面ファスナーを構成する、雄側ファスナー面を片面に備えるシートと、雌側ファスナー面を片面に備えるシートからなり、
上記雄側ファスナー面を備えるシートの１端部と、上記雌側ファスナー面を備えるシートの１端部を、上記雄側ファスナー面を備える片面と、上記雌側ファスナー面を備える片面を内側にして固定したことを特徴とするティーシャツ衿の伸び防止具。
【請求項８】
上記シートは接着層と非接着層からなる熱接着シートであって、
上記非接着層に面ファスナーを構成する雄側ファスナー面を備える熱接着シートと、上記非接着層に雌側ファスナー面を備える熱接着シートからなり、
上記雄側ファスナー面を備える熱接着シートの１端部と、上記雌側ファスナー面を備える熱接着シートの１端部を、上記非接着層の各々を内側にして固定した請求項７に記載のティーシャツ衿の伸び防止具。
【請求項９】
上記雄側ファスナー面及び上記雌側ファスナー面のいずれか一方の面又は両面に、ゴム、樹脂及びエラストマーから選ばれるいずれか１種である十字形状の弾性体を備える請求項７又は請求項８に記載のティーシャツ衿の伸び防止具。
【請求項１０】
請求項７乃至請求項９いずれか１項に記載するティーシャツ衿の伸び防止具の２個を、ティーシャツの裏側の両肩先と衿の中間の２ヶ所に配置し、固着したことを特徴とするティーシャツ。
【請求項１１】
Ｕ字状の紐の２本をティーシャツの裏側の両肩先と衿の中間の２ヶ所に、上記Ｕ字状の紐の頭部が衿側に上記Ｕ字状の紐の両端が肩先側にして対称に配置し、上記Ｕ字状の紐の両端を縫着したことを特徴とするティーシャツ。
【発明の詳細な説明】
【技術分野】
【０００１】
本願はティーシャツ衿の伸び防止具及びこれを取付けたティーシャツに関する。詳しくは、構造簡単、安価、簡単にティーシャツに取付けることが可能で、且つ確実にティーシャツの洗濯後の乾燥時にティーシャツの衿の伸びを防止するティーシャツ衿の伸び防止具、及びこれを取付けたティーシャツに関する。
【背景技術】
【０００２】
服装に関する個人の感性は種々であって、ティーシャツのネックラインを気にする人は多い。現在市場に販売されているティーシャツは、通常、洗濯した後にハンガーに吊るして乾燥する。この乾燥時に衿が伸びてしまって、ネックラインが最初の形状と異なってしまい、特に高級な、あるいは気に入りのティーシャツの洗濯には苦慮する人が多い。
【０００３】
この悩みに対して、下記特許文献１が開示するようにネックラインが洗濯によっても変わらない素材のティーシャツが開発されている。しかし、上述のように服装に関する個人の感性は多様であって、衿が伸びなければ、どのティーシャツでよいというものではない。自分の気に入ったティーシャツの衿の伸びを問題にしているのである。
【０００４】
このティーシャツの衿の伸びに対して、各個人は、種々の工夫をして防止している。この衿の伸びは、ティーシャツの経年劣化、素材、洗濯方法等の種々の原因があるが、第１の原因は洗濯した後の乾燥方法にある。一部の特殊な乾燥方法を除けば、一般に洗濯物の乾燥はハンガーに吊るして乾燥し、このときに衿は伸びる。
【先行技術文献】
【特許文献】
【０００５】
【特許文献１】特開２００８―５４４１０５号公報
【発明の概要】
【発明が解決しようとする課題】
【０００６】
本願は構造簡単、安価、簡単にティーシャツに取付けることが可能で、且つ確実にティーシャツの洗濯後における乾燥時の衿の伸びを防止することのできるティーシャツ衿の伸び防止具、及びこれを取付けたティーシャツを提供する。これらは、ネックラインの変形を避けたいティーシャツに利用される。
【課題を解決するための手段】
【０００７】
本願発明に係るティーシャツ衿の伸び防止具（以下「衿伸び防止具」ともいう。）は、紐を略Ｕ字形状にして、熱接着シートにこの紐の両端を固定する。この紐は伸縮しない紐でもよいが、ゴム紐等の伸縮性のものであると後述するように、ティーシャツの洗濯後、乾燥時の作業が容易になる。この紐を熱接着シートに固着する。熱接着シートは接着層と非接着層からなり、紐は接着層に熱で固着することもでき、あるいはミシン等で縫着固定することもできる。ミシン等で縫着固定する場合は、非接着層にこの紐を取付けることができる。ここでティーシャツとは丸首シャツ、ブイネックシャツ及びＵ形状ネックシャツのいずれも含む。
【０００８】
本願発明のティーシャツは上記衿伸び防止具の２個を、ティーシャツの裏側の両肩先と衿の中間の２ヶ所に、上記ティーシャツ衿の伸び防止具を構成する上記Ｕ字状の紐の頭部が衿側に、上記Ｕ字状の紐の両端が肩先側にして対称に配置し（図３を参照）、熱により固着する。
この衿伸び防止具を固着したティーシャツを洗濯してハンガーに吊るしたときに、２個所で留めた衿伸び防止具を、フックを付けた紐等でつないで衿の形状を整えて、当初の形状として、乾燥する。上述のようにこの紐がゴム紐を使用されているときは、乾燥前の衿の形状を整えやすい。
【０００９】
他の本願発明である衿伸び防止具は、シートの片面に面ファスナーを構成する雄側ファスナー面及び雌側ファスナー面の各々を固定する（図８（ａ）を参照）。固定方法に限定は無いが、縫着、接着剤による接着、熱接着等が挙げられる。面ファスナーとは、雄側ファスナー面及び雌側ファスナー面が両面において押し付けるとそれだけで貼り付くようになっており、貼り付けたり剥がしたりすることが自在にできるものをいい、通常、雄側ファスナー面はフック状に起毛されたものであり、雌側ファスナー面はループ状に起毛されている。本願に係る面ファスナーはこれに限定されるものでなく例えば、フックとループ両方が植え込まれており、フック面とループ面との区別のないタイプ、マッシュルーム状に起毛されたクリックタイプ等も本願に係る両面ファスナーに含まれる。
【００１０】
上述のシートの材質は限定が無く、織布、不織布、樹脂等が挙げられる。シートが織布である場合は、上記の衿伸び防止具は、ティーシャツに縫着される。
他の本願発明である衿伸び防止具は、上記シートが熱接着シートであって、この熱接着シートの非接着層側に、面ファスナーを構成する雄側ファスナー面及び雌側ファスナー面の各々を固定する。固定方法に限定は無いが、縫着、接着剤による接着、熱接着等が挙げられる。この衿伸び防止具は、ティーシャツに固定するときに、アイロン等で熱圧着ができるため容易に固定することができる。
【００１１】
他の本願発明で衿伸び防止具は、上述の面ファスナーを構成する雄側ファスナー面及び雌側ファスナー面のいずれか一方の面又は両面に、材質がゴム、樹脂又はエラストマーである十字形状の弾性体を備える。この衿伸び防止具が取付けられたティーシャツは、洗濯後にハンガーに吊るして乾燥するときに、衿伸び防止具がハンガーにしっかり固定でき、ずれることがない。
【００１２】
他の本願発明であるティーシャツは、上述の衿伸び防止具の２個を、ティーシャツの裏側の両肩先と衿の中間の２ヶ所に配置し、固着したことを特徴とするティーシャツである。上述の衿伸び防止具を構成するシートが熱接着シートである場合は熱で固定し、それ以外は縫着で固定する。
【００１３】
他の本願発明で衿伸び防止具は、面ファスナーを構成する雄側ファスナー面を片面に備えるシートと、雌側ファスナー面を片面に備えるシートからなり、上記雄側ファスナー面を備えるシートの１端部と、上記雌側ファスナー面を備えるシートの１端部を、上記雄側ファスナー面を備える片面と、上記雌側ファスナー面を備える片面を内側にして固定したことを特徴とする。このシートの材質は限定が無く、織布、不織布、樹脂等が挙げられる。シートの材質が熱接着樹脂でない場合は、上記の衿伸び防止具は、ティーシャツに縫着される。また、面ファスナーのシートへの固定は、縫着、接着剤による接着、熱接着等が挙げられる。
【００１４】
他の本願発明である衿伸び防止具は、上記シートは接着層と非接着層からなる熱接着シートであって、上記非接着層に面ファスナーを構成する雄側ファスナー面を備える熱接着シートと、上記非接着層に雌側ファスナー面を備える熱接着シートからなり、
上記雄側ファスナー面を備える熱接着シートの１端部と、上記雌側ファスナー面を備える熱接着シートの１端部を、上記非接着層の各々を内側にして固定したものである。
【００１５】
他の本願発明である衿伸び防止具は、上述の面ファスナーを構成する雄側ファスナー面及び雌側ファスナー面のいずれか一方の面又は両面に、材質がゴム、樹脂又はエラストマーである十字形状の弾性体を備える。この衿伸び防止具が取付けられたティーシャツは、洗濯後にハンガーに吊るして乾燥するときに、衿伸び防止具がハンガーにしっかり固定できるために、ずれることがない。
【００１６】
また、他の本願発明であるティーシャツは、請求項７乃至請求項９いずれか１項に記載するティーシャツ衿の伸び防止具の２個を、ティーシャツの裏側の両肩先と衿の中間の２ヶ所に配置し、固着したことを特徴とする。
【００１７】
更に、他の本願発明であるティーシャツは、上述の衿伸び防止具を用いることなく、Ｕ字状の紐の２本をティーシャツの裏側の両肩先と衿の中間の２ヶ所に、上記Ｕ字状の紐の頭部が衿側に、上記Ｕ字状の紐の両端が肩先側にして対称に配置し、上記Ｕ字状の紐の両端を縫着したことを特徴とする。
【発明の効果】
【００１８】
本願発明の衿伸び防止具は、構造簡単、安価であり、ティーシャツに容易に取付けることができる。
また、この衿伸び防止具を取付けたティーシャツ、及び衿伸び防止具を使用せずＵ字状の紐を直接縫着したティーシャツは、洗濯による衿の伸びを確実に防止できる。
【図面の簡単な説明】
【００１９】
【図１】衿伸び防止具の平面図及び背面図である。
【図２】衿伸び防止具をティーシャツの布地に接着する説明図である。
【図３】本願衿伸び防止具の取付け状態を平面から看た説明図である。
【図４】本願ティーシャツの正面図である。
【図５】従来技術のティーシャツを洗濯し、ハンガーに吊るした状態を示す説明図である。
【図６】本願ティーシャツを洗濯し、ハンガーに吊るした状態を示す説明図である。
【図７】本願ティーシャツに係る衿伸び防止具の使用方法を説明する一部破断斜視図である。
【図８】他の本願衿伸び防止具を示す図である。
【図９】十字形状の弾性体を備える衿伸び防止具の説明図である。
【図１０】他の本願衿伸び防止具をティーシャツに熱接着する説明図である。
【図１１】他の本願衿伸び防止具のティーシャツへの固着位置及び固着角度を平面から看た説明図である。
【図１２】他の本願ティーシャツの乾燥方法を説明する図である。
【図１３】他の態様の乾燥方法を説明する図である。
【図１４】他の本願衿伸び防止具を示す説明図である。
【発明を実施するための形態】
【００２０】
以下、本願衿伸び防止具及び本願ティーシャツを図に基づいて詳細に説明する。これらの図は本発明を説明するために模式的に描いたものであり、本発明はこれらの図に拘束されるものではない。また、部材等の符号（番号）は、共通のものは共通して用いている。更に、図から明らかな部材等は符号が省略してある。
【００２１】
図１は本願発明である衿伸び防止具１０の平面図及び背面図である。この衿伸び防止具１０は紐１１と熱接着シート１２からなる。この紐１１の種類及び材質は特に限定されないが、ゴム紐等の伸縮自在のもの好ましく用いられる。ゴム紐等を用いるとティーシャツを洗濯した後にハンガーに吊るして乾燥するときに、ハンガー等の備えるフック５０１等に紐１１の頭部１１ａをかけやすいためである（図７参照）。
【００２２】
この熱接着シート１２は、接着層１３と非接着層１４の２層からなり、紐１１はＵ字状にして熱接着シート１２の接着層１３に熱圧着して固着するか又は縫着で固着する。図１（ａ）は平面図、図１（ｂ）は背面図である。縫着で固着する場合は、接着層１３と非接着層１４のいずれに固着しても良い。Ｕ字状とは、厳密なＵ字形状を言うのではなく、後述するように２個の衿伸び防止具１０をティーシャツの衿と肩先の中間に対称に固着したときに２個の衿伸び防止具１０の備える紐１１に頭部１１ａが形成される形状をいう。
他の本願発明であるティーシャツ１００は、上記衿伸び防止具１０の２個を、ティーシャツの裏側の両肩先１０２と衿１０１の中間の２ヶ所に、上記ティーシャツ衿の伸び防止具を構成する上記Ｕ字状の紐の頭部１１ａが衿側に、上記Ｕ字状の紐の両端が肩先側にして対称に配置し、熱により接着してつくられる。
【００２３】
図２は衿伸び防止具１０をティーシャツＴに接着する説明図である。図２（ａ）は熱接着前の説明図であり、図２（ｂ）は熱接着後の説明図である。衿伸び防止具１０の接着層１３をティーシャツＴの所定の位置に配置して非熱接着層１４をアイロン等で熱をかけながら圧着して衿伸び防止具１０をティーシャツＴに固着する。
【００２４】
図３は本願衿伸び防止具１０の取付け状態を平面から看た説明図である。このティーシャツの裏側に、衿伸び防止具１０の２個を、Ｕ字状の紐１１の頭部１１ａが衿側に、上記Ｕ字状の紐１１の両端が肩先側にして対称に配設し、衿伸び防止具１０を肩先１０２と衿１０１の中間の２箇所において熱接着シート１２熱接着して固着する。対称とは厳格な意味でなく衿１０１を中心として略対称となることをいう。
【００２５】
図４は本願ティーシャツ１００の正面図である。衿１０１と肩先１０２の中間に固着された２個の衿伸び防止具１０は外部から視認されることはない。
【００２６】
図５は従来技術のティーシャツ４００を洗濯し、ハンガー５００に吊るした状態を示す説明図である。図５に示すように従来技術のティーシャツ４００は洗濯後にハンガー５００に吊るすと衿４０１が伸びてしまう。この衿の伸びは乾燥後においても同一の形状を保つため、ネックラインは当初のものと変わってしまう。
【００２７】
図６は本願ティーシャツ１００を洗濯し、ハンガー５００に吊るした状態を示す説明図である。本願ティーシャツ１００は、洗濯後にハンガー５００に吊るしたときも、２個の衿伸び防止具１０をフック付きの紐６００等で連結して衿１０１を伸びないように保持している。このため、乾燥後も当初のネックラインが変形することがない。
【００２８】
図７は、本願ティーシャツ１００に係る衿伸び防止具１０の使用方法を説明する一部破断斜視図である。図７（ａ）は２個の衿伸び防止具１０の紐１１の頭部１１ａ同士をフック付きの紐６００で連結して、衿１０１の形状を当初のものに保持して乾燥する例である。この状態で乾燥すると衿１０１は伸びることなく当初のネックラインが保持できる。図７（ｂ）は２個の衿伸び防止具１０の紐１１の頭部１１ａをハンガーの備えるフック５０１に引っ掛けた例を示す。この場合も図７（ａ）と同様に襟１０１が伸びることはない。
【００２９】
図８は他の本願衿伸び防止具２０を示す図である。シート２１に、雄側ファスナー面２２と雌側ファスナー面２３で構成される面ファスナーの、雄側ファスナー面２２と雌側ファスナー面２３を取付ける。このシート２１の材質は、特に限定されない。例としては織布、不織布、熱接着シート等が挙げられる。熱接着シート以外の場合は、縫着してティーシャツに取付ける。取付けを容易にするために、このシートは好ましくは熱接着シート２４が用いられる。この衿伸び防止具２０は折り畳んでティーシャツの裏側に接着して使用するため、雄側ファスナー面２２又は雌側ファスナー面２３が、人の肌に直接触れないように、シート２１，２４に対して小さくする。
【００３０】
面ファスナーとは、雄側ファスナー面及び雌側ファスナー面が両面において押し付けるとそれだけで貼り付くようになっており、貼り付けたり剥がしたりすることが自在にできるものをいい、通常は雄側ファスナー面はフック状に起毛されたものであり、雌側ファスナー面はループ状に起毛されている。本願に係る面ファスナーはこれに限定されるものでなく例えば、フックとループ両方が植え込まれており、フック面とループ面との区別のないタイプ、マッシュルーム状に起毛されたクリックタイプ等も本願に係る両面ファスナーに含まれる。
【００３１】
雄側ファスナー面２２及び雌側ファスナー面２３の２面をシート２１に固定する方法は限定されないが、縫着、接着剤による接着及び熱接着等が挙げられる。
図８（ａ）は平面図である。図８（ｂ）は側面図である。図８（ｃ）はシートが熱接着シート２４である場合の一部断面図である。この熱接着シート２４は、接着層２４ａと非接着層２４ｂからなり、雄側ファスナー面２２及び雌側ファスナー面２３の２面は非接着層２４ｂに固定されることを表す。図８（ｄ）はこの伸び防止具２０を折り畳んだ状態の１部断面図である。
【００３２】
上述の雄側ファスナー面２２及び雌側ファスナー面２３のいずれか一方の面又は両方の面に、ゴム、樹脂及びエラストマーから選ばれるいずれか１種である十字形状の弾性体２６を備えることが好ましい。この衿伸び防止具２０をティーシャツに取付けて、乾燥後ハンガーを用いて乾燥するさいに、ハンガーに強く固定でき、風等で衿伸び防止具２０の位置がずれることを回避することができるためである。
【００３３】
図９は、十字形状の弾性体２６の説明図である。図９（ａ）は、この十字形状の弾性体２６を雄側ファスナー面２２を取付ける例を挙げている。雄側ファスナー面２２のフック状の起毛を熱等で十字形状に剥がし、その剥がし跡２５に十字形状の弾性体２６を接着剤等で取付ける。また、起毛剥がし跡２５に酸素、水分、乾燥等で硬化する流動性樹脂を塗布して作成することもできる。図９（ｂ）は、十字形状の弾性体２６を取付けた後の平面図である。図９（ｃ）は、側面図である。この図に示すように十字形状の弾性体２６の上面は起毛フックより、高い位置になるようにする。
【００３４】
他の発明である本願ティーシャツ２００は、この伸び防止具２０を図８（ｄ）に示すように接着層２４ａを外側にして折り畳んだ状態でティーシャツＴに固着する。
図１０は、衿伸び防止具２０をティーシャツＴに熱接着する説明図である。図１０（ａ）は、衿伸び防止具２０を熱接着する前の説明図である。折り畳んだ伸び防止具２０をティーシャツＴの所定の位置に配置して、アイロンでティーシャツＴと接着層２４ａを接着する。図１０（ｂ）は、衿伸び防止具２０を熱接着した後の説明図である。衿伸び防止具２０をティーシャツＴに熱接着して本願ティーシャツ２００が完成する。図１０（ｃ）は、面ファスナーを開いた状態を説明する図である。シート２１が熱接着シート２４でない場合は、縫着して伸び防止具２０をティーシャツに固定する。
【００３５】
図１１は、平面から看た、衿伸び防止具２０のティーシャツへの接着位置及び接着角度を示す説明図である。衿伸び防止具２０の２個をティーシャツの裏側の両肩先２０１と衿２０２の中間の２ヶ所に配設・固着する。図１０（ａ）から図１０（ｄ）は、衿伸び防止具２０のティーシャツへの固着の位置・角度の態様を示す例である。個着の態様は特に限定は無いが、衿２０１を中心として対称に配設することが好ましい。
【００３６】
図１２は、本願ティーシャツ２００の乾燥方法を説明する図である。
図１２（ａ）は、１部破断斜視図である。洗濯後に乾燥するときに、ハンガー５００の所望の位置にティーシャツ２００の備える衿伸び防止具２０を固定する。
図１２（ｂ）は、図１２（ａ）に係るＡ−Ｂ線の１部断面図である。この図はハンガー５００に固定する前を表す。
図１２（ｃ）は、図１２（ａ）に係るＡ−Ｂ線の１部断面図である。この図はハンガー５００に固定した後を表す。
【００３７】
図１３は他の態様の乾燥方法を示す図である。この方法は、ハンガー５００の所定の位置に面ファスナーＭを構成する雄側ファスナー面２２又は雌側ファスナー面２３のいずれか一方を巻きつけて取付けておき、この面ファスナーＭに上述の衿伸び防止具２０の備える雄側ファスナー面２２又は雌側ファスナー面２３のいずれか一方を、貼り付けて固定する。
【００３８】
図１３（ａ）は、ハンガー５００に面ファスナーＭを巻き付けた状態を示すＡ−Ｂ線１部断面図である。この図は衿伸び防止具２０をハンガー５００に固定する前の図である。
図１３（ｂ）は、面ファスナーＭに雄側ファスナー面２２を貼り付けた状態を示す。
図１３（ｃ）は、面ファスナーＭに雌側ファスナー面２３を貼り付けた状態を示す。
【００３９】
また、他の本願発明である衿伸び防止具３０は、雄側ファスナー面３２を備えるシート３４と、雌側ファスナー面３３を備えるシート３５からなり、上記雄側ファスナー面を備えるシート３４の１端部３４ｔと、上記雌側ファスナー面を備えるシート３５の１端部３５ｔを、ファスナー面３２、３３を内側にして固定したものである。このシート３４、３５の材質は、特に限定されない。例としては織布、不織布、熱接着シート等が挙げられる。熱接着シート以外の場合は、縫着してティーシャツに取付ける。取付けを容易にするために、このシートは好ましくは熱接着シート３６、３７が用いられる。
【００４０】
図１４は、他の本願衿伸び防止具３０を示す説明図である。
図１４（ａ）は、平面図である。
図１４（ｂ）は、背面図である。
図１４（ｃ）は、側面図である。上記雄側ファスナー面３２を備える３４の１端部３４ｔと上記雌側ファスナー面を備えるシート３５の１端部３５ｔは固定されている。この固定方法は特に限定されない。縫着、接着剤による接着、熱接着等の方法が挙げられる。他の端部は固定されずに開放されている。このため、端部３４ｔと端部３５ｔを基点にこの衿伸び防止具３０は開閉が自在である。
図１４（ｄ）は、衿伸び防止具３０はシートに熱接着シート３６、３７を使用した場合の一部断面図を示す。上記雄側ファスナー面３２を備える熱接着シート３６は、熱接着シートの非接着層３６ｂに固定される。上記雌側ファスナー面３３を備える熱接着シート３７は、熱接着シートの非接着層３７ｂに固定される。この固定方法は特に限定は無く、縫着、接着剤による接着、熱接着等の方法が挙げられる。接着層３６ａ及び３７ａは外側になり、この接着層３６ａ又は３７ａを、ティーシャツの裏側に熱接着する。
【００４１】
この衿伸び防止具３０の備える雄側ファスナー面３２及び雌側ファスナー面３３のいずれか一方の面又は両方の面に、ゴム、樹脂及びエラストマーから選ばれるいずれか１種である十字形状の弾性体を備えることが好ましい。この衿伸び防止具３０をティーシャツに取付けて、乾燥後ハンガーを用いて乾燥する際に、ハンガーに強く固定でき、風等で衿伸び防止具２０の位置がずれることを回避することができるためである。この十字形状の弾性体の材質、雄側ファスナー面３２又は雌側ファスナー面３３への取付け方法等は衿伸び防止具２０に記載するものがそのまま適用される。
【００４２】
また、他の本願発明であるティーシャツ（図示しない）は、上述の衿伸び防止具３０を、ティーシャツの裏側に固定して得られる。この衿伸び防止具３０のティーシャツへの固着位置及び固着角度を平面から看た状態は図１１がそのまま適用される。また、この乾燥方法は、図１２、図１３がそのまま適用される。
【００４３】
さらに、本願他の発明であるティーシャツ（図示しない）は、Ｕ字状の紐の２本をティーシャツの裏側の両肩先と衿の中間の２ヶ所に、上記Ｕ字状の紐の頭部が衿側に上記Ｕ字状の紐の両端が肩先側にして対称に配設し、上記Ｕ字状の紐の両端を縫着したしたものである。このティーシャツは、上述のティーシャツ１００の備える衿伸び防止具１０の熱接着シート１２が無いことを除いて材質、固着位置、使用方法等は全て上述のティーシャツ１００をそのまま適用できる。
【符号の説明】
【００４４】
１０        ティーシャツ衿の伸び防止具（衿伸び防止具）
１１        紐
１１ａ      Ｕ字状の紐の頭部
１２        熱接着シート
１３        接着層
１４        非接着層
２０        衿伸び防止具
２１        シート
２２        雄側ファスナー面
２３        雌側ファスナー面
２４        熱接着シート
２４ａ      接着層
２４ｂ      非接着層
２５        起毛剥がし跡
２６        十字形状弾性体
３０        衿伸び防止具
３２        雄側ファスナー面
３３        雌側ファスナー面
３４        シート
３４ｔ      １端部
３５        シート
３５ｔ      １端部
３６        熱接着シート
３６ａ      接着層
３６ｂ      非接着層
３７        熱接着シート
３７ａ      接着層
３７ｂ      非接着層
１００      ティーシャツ
１０１      衿
１０２      肩先
２００      ティーシャツ
２０１      衿
２０２      肩先
４００      従来技術のティーシャツ
５００      ハンガー
５０１      ハンガーの備えるフック
６００      フック付きの紐
Ｔ          ティーシャツ
Ｍ          面テープ
【図１】
2014005566.tif 000003
【図２】
2014005566.tif 000004
【図３】
2014005566.tif 000005
【図４】
2014005566.tif 000006
【図５】
2014005566.tif 000007
【図６】
2014005566.tif 000008
【図７】
2014005566.tif 000009
【図８】
2014005566.tif 000010
【図９】
2014005566.tif 000011
【図１０】
2014005566.tif 000012
【図１１】
2014005566.tif 000013
【図１２】
2014005566.tif 000014
【図１３】
2014005566.tif 000015
【図１４】
2014005566.tif 000016